(57)【要約】      （修正有）【課題】団扇本体の製造コストアップを抑制しつつ、地紙部に表示される情報に加えて、更に興味を引く新規な団扇を提供する。【解決手段】柄１１と、一部又は全面積が骨配列部分１３及びデザイン部分１９ａとして一体成形される骨部１４と、骨部１４の一部又は全面に貼付されて扇部１５を形成する地紙部１７とを備え、地紙部１７を介して骨部デザインを鑑賞できる様に団扇１０を形成する。さらに、前記地紙部１７が、前記扇部１５片面に２枚以上で互いに剥離可能に備えられ、前記骨部１４に貼付されている地紙以外は再度貼付可能に構成される。【選択図】図１
0003170825.tif 000002
【実用新案登録請求の範囲】
【請求項１】
柄と、一部又は全面積が骨配列部分及びデザイン部分として一体成形される骨部とを備える団扇。
【請求項２】
請求項１において、
前記骨部のデザイン部分が取り外し可能である団扇。
【請求項３】
請求項１又は請求項２において、
前記骨部の一部又は全面に貼付されて扇部を形成する地紙部を備え、
前記地紙部が、前記扇部片面に２枚以上で互いに剥離可能に備えられ、前記骨部に貼付されている地紙以外は再度貼付可能に構成される団扇。
【請求項４】
請求項１乃至請求項３のいずれか一項において、
前記骨部のデザイン部分が、取り外して組み立て可能且つ前記扇部と略同等厚み若しくはより薄い複数の模型パーツからなる団扇。
【請求項５】
請求項３又は請求項４において、
再度貼付可能の前記地紙が、前記骨部のデザイン部分に対応する形状と情報を備えたシールである団扇。
【考案の詳細な説明】
【技術分野】
【０００１】
本考案は、団扇に関する。
【背景技術】
【０００２】
従来、団扇は、商品の販売やイベントの広告等のために、扇部分に写真、ロゴ、商品説明などを表示するケースが増えている。そこで、見栄えの良い新規な団扇が提案されている。特許文献１に記載の団扇は、絵柄以外に、フーリエ変換レンズを扇部に設けることで、外部の点光源から所望の光学画像が楽しめ、点光源によって微妙に違う繰り返し画像を観察することのできる団扇を提案している。
【先行技術文献】
【特許文献】
【０００３】
【特許文献１】特開２００４−７７５４８号公報
【考案の概要】
【考案が解決しようとする課題】
【０００４】
しかしながら、特許文献１に示す団扇において、フーリエ変換レンズの設置部は、例えば、扇部を貫通した窓部を備えることである。この様に、骨部に開口を設けるのは、フーリエ変換レンズの設置場所を確保するためだけであって、団扇自体に大きな特徴があるわけではなく、特許文献１の提案はフーリエ変換レンズのみによる特徴に依存している。また、フーリエ変換レンズは別に作り付ける必要があり、製造工程が増加し、コストアップとなるという問題があった。
【０００５】
従って、本考案は、団扇本体の製造コストアップを抑制しつつ、地紙部に表示される情報に加えて、更に興味を引く新規な団扇を提供することを目的とする。
【課題を解決するための手段】
【０００６】
本考案の団扇は、柄と、一部又は全面積が骨配列部分及びデザイン部分で一体成形される骨部とを備える構成である。
【０００７】
本考案の団扇において、骨部のデザイン部分が取り外し可能である構成が好ましい。また、本考案の団扇において、骨部の一部又は全面に貼付されて扇部を形成する地紙部を備え、地紙部が、扇部片面に２枚以上で互いに剥離可能に備えられ、骨部に貼付されている地紙以外は再度貼付可能である構成が好ましい。また、本考案の団扇において、骨部のデザイン部分が、取り外して組み立て可能且つ扇部と略同等厚み若しくはより薄い複数の模型パーツからなる構成が好ましい。また、本考案の団扇において、再度貼付可能の地紙が、骨部のデザイン部分に対応する形状と情報を備えたシールであることが好ましい。
【考案の効果】
【０００８】
本考案によれば、地紙部に表現される形状や文字などの情報が骨部デザイン部分の情報と相互に関係し合うことも可能となり、取り外されたデザイン部分のみによる機能も提供され、より興味を引く新規な団扇を提供することができる。
【図面の簡単な説明】
【０００９】
【図１】（ａ）本考案に係わる第一実施形態の団扇の正面図、（ｂ）本考案に係わる第二実施形態の団扇の正面図である。
【図２】本考案に係わる第三実施形態の団扇の正面図である。
【図３】図２に示した団扇を骨部と地紙部とデザイン部分とに分解した正面図である。
【図４】本考案に係わる第四実施形態の団扇の正面図である。
【図５】本考案に係わる第五実施形態の団扇の分解正面図である。
【考案を実施するための最良の形態】
【００１０】
以下、本考案に係わる団扇の好ましい実施形態について、図面を参照しながら説明する。図１（ａ）は本考案に係わる第一実施形態の団扇の正面図、（ｂ）は本考案に係わる第二実施形態の団扇の正面図である。
【００１１】
本考案の実施形態に係わる団扇１０は、柄１１と、少なくとも面積の一部を骨配列部分１３及びデザイン部分１９ａ，１９ｂとして一体成形される骨部１４と、骨部１４のほぼ全面を覆って貼付されて扇部１５を形成する地紙部１７とを備えている。地紙部１７は骨部１４に対して接着剤にて貼り付けられている。この接着剤以外にも、完全に固着させる場合、地紙部１７が樹脂膜で形成されていれば熱融着などが利用できる。なお、地紙部１７は接着剤の選定により剥離可能に貼付されることができる。
【００１２】
デザイン部分１９ａには便宜的にレリーフ状のアルファベットを並べ、デザイン部分１９ｂはレリーフ状の電車のデザインとなっているが、例えば、記号、マーク、ロゴ、図形、キャラクターなど、いかなる情報にも対応可能である。
【００１３】
骨部１４は、デザイン部分１９ａ，１９ｂのいずれについても骨配列部分１３と一体成形であるので、従来の団扇に比して製造工程の変更は殆どなく、従来と同程度の製造コストとなる。この構成において、地紙部１７を介してデザイン部分１９ａ，１９ｂが鑑賞される。地紙部１７は透明又は半透明であれば更によい。地紙部１７に表示される情報と骨部デザイン部分１９ａ，１９ｂの情報とが図形情報や文字情報に限らず関連を持ち、地紙部の情報と骨部デザイン部分の情報とが一体となって鑑賞される構成とすることで、更に興味を引く新規な団扇となる。
【００１４】
図２は本考案に係わる第三実施形態の団扇の正面図である。図３は図２に示した団扇を骨部と地紙部とデザイン部分とに分解した正面図である。図２に示すように、団扇２０は、柄２１と、少なくとも面積の一部を骨配列部分２３及びデザイン部分２９により一体成形される骨部２４と、骨部２４のほぼ全面を覆って貼付されて扇部２５を形成する地紙部２７とを備え、デザイン部分２９はレリーフ状のプレートとして取り外し可能に構成されている。
【００１５】
図３に示すように、団扇２０は、剥離可能に構成された地紙部２７の内、扇部２５の少なくとも表裏の一方が剥離され（図３では表裏両方）、デザイン部分２９が取り外される。デザイン部分２９は各アルファベットがランナー２８により一枚プレートとなるように連結されている。デザイン部分２９が取り外される前には、図１の団扇１０の説明と同様な機能を備えている。
【００１６】
取り外し後のデザイン部分２９は、団扇２０で表現されたメーカーやブランドや商品の記号、マーク、ロゴ、図形やキャラクター、意匠や商標などを表示しており、室内の飾りや仕分けなどに役立てるプレートとすることができる。これにより、団扇としての利用が終了した後も、その団扇に示したメーカー、ブランド、商品の認知や思い入れに強く働きかけることができる。
【００１７】
ここで、団扇１０，２０において、デザイン部分１９ａ，１９ｂ，２９と骨配列部分１３との接合部は、製造上で樹脂の圧入に好適な配置、構造材としての配置などが考慮される。更に、団扇としての撓みなどの機能を維持するため、デザイン部分１９ａ，１９ｂ，２９と骨配列部分１３の太さや接合部の強度などが適宜に設定される。また、取り外し可能のデザイン部分２９の場合には、取り外しのし易さなども考慮して決定される。
【００１８】
図４は本考案に係わる第四実施形態の団扇の分解正面図である。図４に示すように、団扇３０は、柄３１と、骨部のほぼ全面を一体形成により成すデザイン部分３９と、骨部であるデザイン部分３９のほぼ全面を覆って貼付されて扇部３５を形成する地紙部３７とを備えている。デザイン部分３９は取り外して組み立て可能且つ扇部３５と略同等厚み若しくはより薄い複数の模型パーツ３６から構成されている。
【００１９】
団扇３０からの模型パーツ３６の取り外しは、図４では模型パーツ３６を別個に取り外す構成であるが、模型パーツを保持するフレームを備え、フレームごと取り外す構成とすることもできる。
【００２０】
このように、団扇３０に模型パーツ３６をデザイン部分３９として備えることで、例えば、団扇３０の地紙部３７に広告を表示する場合に、この広告に関連した模型パーツ３６を導入することで、広告の一助となる。そして、取り外し後には、広告とは全く関係のない機能であるところの、模型組み立ての楽しみを提供できる。よって、興味のある広告のみならず、模型組み立ての興味も加えることができる。
【００２１】
図５は本考案に係わる第五実施形態の団扇の分解正面図である。図５に示すように、団扇４０は、柄４１と、面積の一部が骨配列部分４３及びデザイン部分４９として一体成形される骨部４４と、骨部４４のほぼ全面を覆って貼付されて扇部４５を形成する地紙部４７とを備え、デザイン部分４９は取り外し可能に構成されている。
【００２２】
地紙部４７は、団扇４０の表裏にそれぞれ表裏ベース地紙４７ａ，４７ｃが貼られ、表裏ベース地紙４７ａ，４７ｃそれぞれに替え地紙４７ｂ，４７ｄが着脱可能に重ねて貼付されている。図５では、判りやすくするため、扇部４５と表裏ベース地紙４７ａ，４７ｃと替え地紙４７ｂ，４７ｄとを剥離した状態で示しているが、実際には重ねられた状態で提供される。
【００２３】
ここで、デザイン部分４９を取り外す場合、表裏ベース地紙４７ａ，４７ｃと替え地紙４７ｂ，４７ｄとは重なった状態で扇部４５から剥離される。むき出しとなったデザイン部分４９は取り外され、図２，３に示した第三実施形態のデザイン部分２９と同様に利用される。一方、扇部４５はデザイン部分４９が取り外された跡が開口となり、通常は廃棄されるが、この扇部４５に、表裏ベース地紙４７ａ，４７ｃから剥離された替え地紙４７ｂ，４７ｄを貼り付けることで、団扇として再利用が可能となる。更に、扇部４５を廃棄することも無くなり、廃棄物が格段に少なくなる。
【００２４】
更に、第四実施形態の団扇の地紙部を変更した構成も可能である。第四実施形態の団扇１０のデザイン部分３９について、取り外して組み立て可能且つ扇部３５と略同等厚み若しくはより薄い複数の模型パーツ３６から構成されている。この団扇１０に対して、地紙部を図５に示した第五実施形態の地紙部４７の構成とほぼ同様とする構成が可能である。
【００２５】
つまり、替え地紙４７ｂ，４７ｄの少なくとも一方をシールとし、このシールには、第四実施形態の模型パーツ３６の特定パーツに対応する絵柄が描かれている。模型パーツ３６の組み立て後に、この絵柄シールを貼り付けて、模型を完成させる。この時、替え地紙４７ｂが剥離された表ベース地紙４７ａは団扇３０に貼り付けたままとすることで、団扇として再利用も可能である。この構成では、第四実施形態の模型パーツ３６に対応するシールを設けたが、これに限らず、他の実施形態に対応するシールを設けることも可能である。
【００２６】
本実施の形態の団扇によれば、骨部の一部又は全面積を一般的骨配列以外のデザイン部分を一体成形し、この骨部デザイン部分が地紙部を介して鑑賞される。地紙部は透明又は半透明であれば更によいが、地紙部に表示される情報と骨部デザイン部分の情報とが関連を持つことで、地紙部の情報と骨部デザイン部分の情報とが一体となって鑑賞される構成とすることもでき、更に興味を引く新規な団扇となる。
【００２７】
また、団扇において、取り外し可能に支持される骨部デザイン部では、取り外し前には団扇の骨部の一部としての機能を有し、且つデザイン部として与えられた本来の機能を備える。そして、取り外したデザイン部は、更なる機能を提供することができる。
【００２８】
なお、本考案は上記実施形態に限定されるものではなく、本考案の目的を達成できる範囲での変形、改良などは本考案の含まれるものである。例えば、本実施形態は、一般的外形の団扇を例に挙げているが、幾何学外形の他にも、動物や虫を象った団扇など、本考案はいかなる外形にも対応可能である。また、地紙の大きさも、扇部を完全に覆う必要はない。
【符号の説明】
【００２９】
１０，２０，３０，４０  団扇
１３，２３，４３  骨配列部分
１４，２４，４４  骨部
１５，２５，３５，４５  扇部
１７，２７，３７，４７  地紙部
１９ａ，１９ｂ，２９，３９  デザイン部分
【図１】
0003170825.tif 000003
【図２】
0003170825.tif 000004
【図３】
0003170825.tif 000005
【図４】
0003170825.tif 000006
【図５】
0003170825.tif 000007
【手続補正書】
【提出日】平成23年5月11日(2011.5.11)
【手続補正１】
【補正対象書類名】実用新案登録請求の範囲
【補正対象項目名】全文
【補正方法】変更
【補正の内容】
【実用新案登録請求の範囲】
【請求項１】
柄と、一部又は全面積が骨配列部分及びデザイン部分として一体成形される骨部とを備える団扇。
【請求項２】
請求項１において、
前記骨配列部分及び前記デザイン部分との接合部は、前記デザイン部分が取り外し可能に接合されている団扇。
【請求項３】
請求項１又は請求項２において、
前記骨部の一部又は全面に貼付されて扇部を形成する地紙部を備え、
前記地紙部が、前記扇部片面に２枚以上で互いに剥離可能に備えられ、前記骨部に貼付されている地紙以外は再度貼付可能に構成される団扇。
【請求項４】
請求項１乃至請求項３のいずれか一項において、
前記骨部のデザイン部分が、取り外して組み立て可能且つ前記扇部と略同等厚み若しくはより薄い複数の模型パーツからなる団扇。
【請求項５】
請求項３又は請求項４において、
再度貼付可能の前記地紙が、前記骨部のデザイン部分に対応する形状と情報を備えたシールである団扇。
【手続補正書】
【提出日】平成23年7月29日(2011.7.29)
【手続補正１】
【補正対象書類名】実用新案登録請求の範囲
【補正対象項目名】全文
【補正方法】変更
【補正の内容】
【実用新案登録請求の範囲】
【請求項１】
柄と、一部又は全面積が骨配列部分及びデザイン部分とが接合した状態で成形される骨部とを備える団扇。
【請求項２】
請求項１において、
前記骨配列部分及び前記デザイン部分との接合部は、前記デザイン部分が取り外し可能に接合されている団扇。
【請求項３】
請求項１又は請求項２において、
前記骨部の一部又は全面に貼付されて扇部を形成する地紙部を備え、
前記地紙部が、前記扇部片面に２枚以上で互いに剥離可能に備えられ、前記骨部に貼付されている地紙以外は再度貼付可能に構成される団扇。
【請求項４】
請求項１乃至請求項３のいずれか一項において、
前記骨部のデザイン部分が、取り外して組み立て可能且つ前記扇部と略同等厚み若しくはより薄い複数の模型パーツからなる団扇。
【請求項５】
請求項３又は請求項４において、
再度貼付可能の前記地紙が、前記骨部のデザイン部分に対応する形状と情報を備えたシールである団扇。